(57)【要約】【課題】電気部品をより効率よく冷却できる加熱調理器を提供する。【解決手段】加熱室１０と、加熱室１０に隣接した機械室１４と、機械室１４の前面を構成し加熱条件を設定する操作パネル４と、本体１の後面を構成し機械室１４に面した位置に後ヨロイ７を有した後板５と、本体１の外郭を構成するキャビネット３とを備え、機械室１４には、前記被加熱物を加熱する電気部品であるマグネトロン１１と、マグネトロン１１に電力を供給する電気部品の電源１２と、前記電気部品を冷却するために操作パネル４側に空気を送風し後板５に固定された冷却ファン１３と、冷却ファン１３のファン１３ａ外周側を覆うダクト１７と、冷却ファン１３から送風される空気を集めて前記電気部品に前記空気を導き、略四角形の一方の端側を前記電気部品に固定して他方の端側をキャビネット３に当接して、その間を前記ダクト１７のダクト端部１７ａと当接する整風板２０とを設けた。【選択図】  図４
2013217567.tif 000002
【特許請求の範囲】
【請求項１】
本体と、該本体内に設け被加熱物を入れる加熱室と、前記本体内に設け前記加熱室に隣接した機械室と、該機械室の前面を構成し前記被加熱物の加熱条件を設定する操作パネルと、前記本体の後面を構成し前記機械室に面した位置に複数の開口部からなる後ヨロイを有した後板と、前記本体の両側面と天面となる外郭を構成するキャビネットとを備え、
前記機械室には、前記被加熱物をマイクロ波によって加熱する電気部品であるマグネトロンと、該マグネトロンに電力を供給する電気部品の電源と、前記電気部品を冷却するために前記操作パネル側に空気を送風し前記後板に固定された冷却ファンと、該冷却ファンのファン外周側を覆うダクトと、前記冷却ファンから送風される空気を集めて前記電気部品に前記空気を導き、略四角形の一方の端側を前記電気部品に固定して他方の端側を前記キャビネットに当接して、その間を前記ダクトのダクト端部と当接する整風板とを設けたことを特徴とする加熱調理器。
【発明の詳細な説明】
【技術分野】
【０００１】
本発明は、電気部品を冷却する冷却ファンを備えた加熱調理器に関するものである。
【背景技術】
【０００２】
従来から、加熱調理器は、被加熱物を加熱する高周波加熱装置であるマグネトロンや該マグネトロンに供給する電源や、被加熱物を加熱するために前記マグネトロンやヒータを電力制御する制御部を冷却するために、本体外部から空気を吸引して、吸引した空気を冷却の必要な部品に送風して冷却している。
【０００３】
特許文献１には、冷却ファン装置から送風される冷却風の無駄を抑えるために、マグネトロンやインバータ装置へ冷却風を集中できるように、傾斜部を設けた整風板をマグネトロンの側面に固定し、その整風板は冷却ファン装置のファンに達する位置まで延びている構成のものが示されている。
【先行技術文献】
【特許文献】
【０００４】
【特許文献１】特開２００３−７４４８号公報
【発明の概要】
【発明が解決しようとする課題】
【０００５】
加熱調理器は、本体を構成するほとんどが金属部材を採用している。そのため、部品と部品とを固定する時はネジなどで確実に固定していないと、冷却ファン装置の送風する空気や冷却ファンの駆動時に発生する振動によって部材同士が当たらないように部品間に隙間を設けるようにしている。
【０００６】
加熱調理器は、本体を構成するほとんどが金属部材を採用している。そのため、部品と部品とをネジなどで固定しない場合には、冷却ファン装置の送風する空気や冷却ファンの駆動時に発生する振動によって部材同士が当たらないように部品間に隙間を設けるようにしている。
【０００７】
上記した特許文献１に示す加熱調理器においては、マグネトロンの側面に固定した整風板の傾斜部が、冷却ファン装置のファンに達する位置まで延びている。また、マグネトロンの側面に固定した整風板の傾斜部の端部と本体を覆うキャビネットとの間には、上記した加熱調理器の一般的な構成から、風圧や振動で部品同士が当たらない隙間が設けられていると考えられる。
【０００８】
また、ファンの空気の吸引する範囲は、そのファンの横側と後方側より空気を吸引して、ファンの前方側へと噴出される。
【０００９】
そのため、キャビネットと、マグネトロンの側面と整風板との間には隙間が設けられ、前記特性のファンとの組み合わせによって、冷却ファン装置の回転によってファンの横側から吸引する力が働き、キャビネットとマグネトロンの側面、キャビネットと整風板との隙間を通って、一度マグネトロンやインバータ装置を冷却した冷却風が再び冷却ファン装置に再吸入される課題が考えられる。
【課題を解決するための手段】
【００１０】
本発明は上記の課題を解決するためになされたものであり、本体と、該本体内に設け被加熱物を入れる加熱室と、前記本体内に設け前記加熱室に隣接した機械室と、該機械室の前面を構成し前記被加熱物の加熱条件を設定する操作パネルと、前記本体の後面を構成し前記機械室に面した位置に複数の開口部からなる後ヨロイを有した後板と、前記本体の両側面と天面となる外郭を構成するキャビネットとを備え、前記機械室には、前記被加熱物をマイクロ波によって加熱する電気部品であるマグネトロンと、該マグネトロンに電力を供給する電気部品の電源と、前記電気部品を冷却するために前記操作パネル側に空気を送風し前記後板に固定された冷却ファンと、該冷却ファンのファン外周側を覆うダクトと、前記冷却ファンから送風される空気を集めて前記電気部品に前記空気を導き、略四角形の一方の端側を前記電気部品に固定して他方の端側を前記キャビネットに当接して、その間を前記ダクトのダクト端部と当接する整風板とを設けたものである。
【発明の効果】
【００１１】
本発明によれば、マグネトロンなどの電気部品をより効率よく冷却することができる。
【図面の簡単な説明】
【００１２】
【図１】一実施例の加熱調理器の本体を前方側から見た斜視図である。
【図２】同加熱調理器の本体を後方側から見た斜視図である。
【図３】同加熱調理器のキャビネットとドアと整風板を外した状態を示す説明図である。
【図４】図３に整風板を取り付けた状態を示す説明図である。
【図５】図１の機械室のＡ−Ａ断面の説明図である。
【発明を実施するための形態】
【００１３】
以下に、本発明の具体的内容について上記した図１から図５の図面を参照しながら詳細に説明する。
【００１４】
加熱調理器の本体１は、加熱室１０に加熱する被加熱物を入れ、マイクロ波やヒータ、水蒸気の熱を使用して被加熱物を加熱調理する。
【００１５】
２はドアで、加熱室１０に被加熱物を出し入れするために開閉するもので、ドア２を閉めることで加熱室１０を密閉状態にし、被加熱物を加熱する時に使用するマイクロ波の漏洩を防止し、熱を封じ込め、効率良く加熱することを可能とする。
【００１６】
３はキャビネットで、本体１の両側面と天面となる外郭を構成している。
【００１７】
４は操作パネルで、加熱室１０に隣接された後述する機械室１４の前面に設けられ、加熱調理器の加熱条件を設定するものである。
【００１８】
５は後板で、本体１の後面を構成している。
【００１９】
１１はマグネトロンで、被加熱物を加熱するためにマイクロ波を放射し、加熱室１０に入れた被加熱物を加熱する。
【００２０】
１２は電源で、マグネトロン１１へ供給する電力を生成する例えばインバータ回路からなるものである。
【００２１】
１３は冷却ファンで、後板５に固定され特にマイクロ波にて被加熱物を加熱する場合に発熱するマグネトロン１１や電源１２にファン１３ａを回転して空気を送風して冷却するものである。
【００２２】
１８は底板で、本体１全体を支える底面を構成している。また、底板１８には、ネジレを防止するために強度を増加するように各辺には垂直に天面側に立ち上げた底面立ち上げ部１８ａを設けている。
【００２３】
１４は機械室で、本体１の加熱室に接して設けられ、この機械室１４には電気部品であるマグネトロン１１や電源１２、冷却ファン１３、制御部（図示無し）を備えている。
【００２４】
７は後ヨロイで、後板５の機械室１４の範囲に複数の開口部から設けられ、本体１の外部から空気を吸引する開口部である。
【００２５】
８は横ヨロイＡで、機械室１４に面した側面部のキャビネット３に複数の開口部から設けられ、後ヨロイ７と隣接した位置に設けられている。横ヨロイＡ８は本体１の外部から空気を吸引する開口部である。
【００２６】
９は横ヨロイＢで、機械室１４に面した側面部のキャビネット３に複数の開口部から設けられ、本体１の内部の排熱を排出する開口部である。
【００２７】
冷却の必要な特にマグネトロン１１と電源１２は、横ヨロイＡ８と横ヨロイＢ９との間に設けられている。
【００２８】
１５はダクト上で、冷却ファン１３の回転するファン１３ａの略上部半分の外周側を覆い、冷却ファン１３によって吸引される後述する空間２１の空気と、冷却ファン１３によって送風される側を区切るものである。そして空間２１は本体１の外側から多くの空気を導くために、後板５の高さ方向に多数の開口部を設けた後ヨロイ７から多くの空気を吸い込めるようになっている。
【００２９】
１６はダクト下で、冷却ファン１３の回転するファン１３ａの略下部半分の外周側を覆い、冷却ファン１３によって吸引される後述する空間２１の空気と、冷却ファン１３によって送風される側を区切るものである。
【００３０】
但し、ダクト１７のキャビネット３側のダクト端部１７ａとキャビネット３の右側側面とは接触しない隙間を設けている。これは製造上、キャビネット３は最後に閉めるためダクト１７とキャビネット３とは固定することができないため、冷却ファン１３が発生する風圧や振動でダクト上１５とキャビネット３とが当たり異音が発生しないようしている。
【００３１】
２１は空間で、ダクト１７と加熱室１０の右側側面とキャビネット３の右側側面と後板５と底板１８とで囲まれた空間を示す。そして、空間２１と連通する位置に後板５に設けた後ヨロイ７とキャビネット３の右側側面に設けた横ヨロイＡ８が設けられている。
【００３２】
６は排気口で、後板５に設けられた複数の開口から成り、加熱室１０と連通し、被加熱物を加熱している時に被加熱物から排出される蒸気や煙を加熱室１０から本体１の外側に排出するために設けたものである。
【００３３】
１９はグリルヒータで、加熱室１０の天面の外側に設けられたヒータで、加熱室１０の天面を加熱して、加熱室１０の天板から放射される輻射熱によって被加熱物を焼くものである。
【００３４】
２０は略四角形の形状をした整風板で、冷却ファン１３から送風される冷却風がマグネトロン１１の側面１１ａを通過する無駄な風路を閉鎖して、冷却ファン１３から送風される冷却風を効率よくマグネトロン１１や電源１２に供給して、マグネトロン１１や電源１２を冷却するように設けたものである。
【００３５】
整風板２０の大きさは、マグネトロン１１の側面１１ａからキャビネット３に設けた横ヨロイＡ８の近傍まで達する大きさで、整風板２０の固定は、整風板２０の一方の端側をマグネトロン１１の側面１１ａにネジなどで固定し、途中をダクト１７のダクト端部１７ａによってキャビネット３側に押さえ、整風板２０の他方の端側をキャビネット３に押し付けるように固定されている。
【００３６】
そのため、整風板２０は、冷却ファン１３から送風される冷却風の風圧や振動によって振動することは無く、他の構造物と当たることも無いので異音の発生も無い。
【００３７】
また、整風板２０を前述した構成で固定しているので、冷却ファン１３の吸引する側の空間２１と冷却ファン１３によって送風される側とは、ダクト１７と整風板２０とによって区切られている。
【００３８】
本実施例は、以上の構成からなり次に動作について説明する。
【００３９】
被加熱物を加熱するために、加熱室１０に被加熱物を入れて操作パネル４から加熱条件を設定して例えばマイクロ波によるレンジ加熱を開始する。
【００４０】
レンジ加熱が開始されると、電源１２からマグネトロン１１に電力が供給され、マグネトロン１１はマイクロ波を加熱室１０に照射して被加熱物の加熱が開始される。また、該加熱が開始されるのとほぼ同時に冷却ファン１３も駆動してファン１３ａが回転を始める。
【００４１】
ファン１３ａが回転を始めると、ファン１３ａの回転によってファン１３ａの後方の空間２１より空気を吸引してファン１３ａの前方側へと空気の送風を開始する。
【００４２】
送風された空気は、冷却ファン１３の空気を送風する側に配置され、被加熱物を加熱すると同時に自己発熱する電気部品のマグネトロン１１と電源１２に送風され、これら電気部品を冷却する。前記電気部品を冷却した後の空気は、その一部はキャビネット３に設けられた横ヨロイＢ９から本体１の外に排気され、残りの一部は加熱室１０に入り被加熱物から発生する水蒸気や煙を排気口６より本体１の外に排気する。
【００４３】
冷却ファン１３より吸気される空気は、空間２１の空気を吸引されることで空間２１と連通している後板５に設けられた後ヨロイ７とキャビネット３に設けられた横ヨロイＡ８から本体１の外側の空気が吸引される。
【００４４】
また、冷却ファン１３から送風された空気は、整風板２０によってマグネトロン１１と電源１２に集められ、マグネトロン１１と電源１２を効率よく冷却する。また、冷却ファン１３の吸引する側の空間２１と冷却ファン１３によって送風される側とは、ダクト１７と整風板２０とによって区切られているので、冷却ファン１３から送風された空気が空間２１へと再吸引されることは無い。
【００４５】
以上、本実施例によれば、マグネトロン１１などの電気部品をより効率よく冷却することができる。
【符号の説明】
【００４６】
１  本体
３  キャビネット
５  後板
７  後ヨロイ
８  横ヨロイＡ
９  横ヨロイＢ
１０  加熱室
１１  マグネトロン
１２  電源
１４  機械室
１５  ダクト上
１６  ダクト下
１７  ダクト
２０  整風板
２１  空間
【図１】
2013217567.tif 000003
【図２】
2013217567.tif 000004
【図３】
2013217567.tif 000005
【図４】
2013217567.tif 000006
【図５】
2013217567.tif 000007